(57)【要約】      （修正有）【課題】表示層を挟んで対向配置された２枚の電極の短絡を抑制する画像表示媒体を提供することである。【解決手段】画像表示媒体は、画像を表示する表示層２と、前記表示層を挟んで対向配置された第１および第２の支持基板３１，４１と、前記第１の支持基板上に、前記第１の支持基板の外縁と略一致した外縁を有して設けられた第１の電極３２と、前記第２の支持基板上に、前記第２の支持基板の外縁よりも内側に設けられ、本体部４２ａと、前記本体部から延在する延在部４２ｂと、前記延在部において前記第１の電極の外縁と前記表示層の厚さ方向に重なる部分に設けられた凹部４２ｃと、を有して構成される第２の電極４２と、を有する。表示層２は、コレステリック液晶が封入されたマイクロカプセルにより構成される。【選択図】図４
2008040002.tif 000002
【特許請求の範囲】
【請求項１】
画像を表示する表示層と、
前記表示層を挟んで対向配置された第１および第２の支持基板と、
前記第１の支持基板上に、前記第１の支持基板の外縁と略一致した外縁を有して設けられた第１の電極と、
前記第２の支持基板上に、前記第２の支持基板の外縁よりも内側に設けられ、本体部と、前記本体部から延在する延在部と、前記延在部において前記第１の電極の外縁と前記表示層の厚さ方向に重なる部分に設けられた凹部と、を有して構成される第２の電極と、
を備えたことを特徴とする画像表示媒体。
【請求項２】
前記第１および第２の電極上にそれぞれ電気的に接続して形成された、外部と電気的な接続を行うための第１および第２の取出電極を備えたことを特徴とする請求項１に記載の画像表示媒体。
【請求項３】
前記第２の支持基板の前記第２の電極が設けられた面と反対側の面上に、前記第２の電極と前記凹部において互いに導通して設けられた外側電極を備えたことを特徴とする請求項１に記載の画像表示媒体。
【請求項４】
前記第１の電極上に電気的に接続され、前記第１の支持基板の外縁の外に延在しない位置に設けられた外部と電気的な接続を行うための第１の取出電極と、
前記外側電極上に電気的に接続され、前記第２の支持基板の外縁の外に延在しない位置に設けられた外部と電気的な接続を行うための第２の取出電極と、
を備えたことを特徴とする請求項３に記載の画像表示媒体。
【請求項５】
画像を表示する表示層と、
前記表示層を挟んで対向配置された第１および第２の支持基板と、
前記第１の支持基板上に、前記第１の支持基板の外縁よりも内側に設けられ、本体部と、前記本体部から延在する延在部と、を有して構成される第１の電極と、
前記第２の支持基板上に、前記第２の支持基板の外縁と略一致した外縁を有して設けられた第２の電極と、
を備え、
前記第２の電極は、その外縁において前記延在部と前記表示層の厚さ方向に重なる部分に外縁凹部を有することを特徴とする画像表示媒体。
【請求項６】
前記第２の電極は、金属材料からなることを特徴とする請求項１または５のいずれかに記載の画像表示媒体。
【請求項７】
前記第１の電極は、透明導電材料からなることを特徴とする請求項１または５のいずれかに記載の画像表示媒体。
【発明の詳細な説明】
【技術分野】
【０００１】
本発明は、画像表示媒体に関する。
【背景技術】
【０００２】
従来の電気部品素子として、フィルム状の絶縁基板と、絶縁基板の一方面上に形成された第１導電体と、絶縁基板の一方面とは反対側の他方面上に形成された第２導電体と、絶縁基板内の少なくとも１箇所の領域において、第１導電体と第２導電体とが直接接続されるコンタクト部とを備え、コンタクト部は第１導電体が第２導電体に向かうコンタクトホールを有し、このコンタクトホールに第１導電体が延在する電気部品素子がある（例えば、特許文献１参照）。
【特許文献１】特開平９−２６３０７９号公報
【発明の開示】
【発明が解決しようとする課題】
【０００３】
本発明の目的は、表示層を挟んで対向配置された２枚の電極の短絡を抑制する画像表示媒体を提供することである。
【課題を解決するための手段】
【０００４】
上記目的を達成するため、本発明の一態様は、以下の画像表示媒体を提供する。
【０００５】
［１］画像を表示する表示層と、前記表示層を挟んで対向配置された第１および第２の支持基板と、前記第１の支持基板上に、前記第１の支持基板の外縁と略一致した外縁を有して設けられた第１の電極と、前記第２の支持基板上に、前記第２の支持基板の外縁よりも内側に設けられ、本体部と、前記本体部から延在する延在部と、前記延在部において前記第１の電極の外縁と前記表示層の厚さ方向に重なる部分に設けられた凹部と、を有して構成される第２の電極と、を備えたことを特徴とする画像表示媒体。
【０００６】
［２］前記第１および第２の電極にそれぞれ電気的に接続して形成された、外部と電気的な接続を行うための第１および第２の取出電極を備えたことを特徴とする［１］に記載の画像表示媒体。
【０００７】
［３］前記第２の支持基板の前記第２の電極が設けられた面と反対側の面上に、前記第２の電極と前記凹部において互いに導通して設けられた外側電極を備えたことを特徴とする［１］に記載の画像表示媒体。
【０００８】
［４］前記第１の電極上に電気的に接続され、前記第１の支持基板の外縁の外に延在しない位置に設けられた外部と電気的な接続を行うための第１の取出電極と、前記外側電極上に電気的に接続され、前記第２の支持基板の外縁の外に延在しない位置に設けられた外部と電気的な接続を行うための第２の取出電極と、を備えたことを特徴とする［３］に記載の画像表示媒体。
【０００９】
［５］画像を表示する表示層と、前記表示層を挟んで対向配置された第１および第２の支持基板と、前記第１の支持基板上に、前記第１の支持基板の外縁よりも内側に設けられ、本体部と、前記本体部から延在する延在部と、を有して構成される第１の電極と、前記第２の支持基板上に、前記第２の支持基板の外縁と略一致した外縁を有して設けられた第２の電極と、を備え、前記第２の電極は、その外縁において前記延在部と前記表示層の厚さ方向に重なる部分に外縁凹部を有することを特徴とする画像表示媒体。
【００１０】
［６］前記第２の電極は、金属材料からなることを特徴とする［１］または［５］のいずれかに記載の画像表示媒体。
【００１１】
［７］前記第１の電極は、透明導電材料からなることを特徴とする［１］または［５］のいずれかに記載の画像表示媒体。
【発明の効果】
【００１２】
本発明によれば、表示層を挟んで対向配置された２枚の電極の短絡を抑制する画像表示媒体を提供することが可能となる。
【発明を実施するための最良の形態】
【００１３】
〔第１の実施の形態〕
（画像表示媒体の構成）
図１は、本発明の第１の実施の形態に係る画像表示媒体の斜視図である。この画像表示媒体１は、液晶等からなる表示層２と、表示層２を挟んで対向配置された、表面基板３および裏面基板４と、表面基板３および裏面基板４の上にそれぞれ形成された外部と電気的な接続を行うための表面取出電極３３および裏面取出電極４３と、を有して概略構成される。なお、画像表示媒体１全体を覆うように熱可塑性フィルム（図示しない）を形成してもよい。
【００１４】
本実施の形態においては、画像表示媒体１を光書き込み型の電子ペーパーであるとして説明する。光書き込み型の電子ペーパーの場合、表示層２は、図示しないが、印加される電圧に応じて反射率（透過率）が変化する液晶層、光を吸収する光吸収層、光の照射によって抵抗値が小さくなる光導電層を表示面側から順に積層した構成、または、光吸収層、光導電層、隔離層、液晶層を表示面側から順に積層した構成した構成を有する。なお、液晶層は、例えば、コレステリック液晶が封入されたマイクロカプセルを有して構成される。また、光導電層は、電荷輸送層と、この電荷輸送層の両側に積層された一対の電荷発生層とからなる。これにより、液晶層への交流電圧の印加が可能となるため、液晶層の劣化を抑えることができ、駆動電圧の低電圧化、電子ペーパーの高寿命化を実現することができる。
【００１５】
図２（ａ）、（ｂ）は、それぞれ表面基板および裏面基板の平面図である。図２（ａ）（ｂ）は、表面基板３および裏面基板４を内側（表示層２側）から見た図である。表面基板３は、表面支持基板３１と表面電極３２を有して構成され、裏面基板４は、裏面支持基板４１と裏面電極４２を有して構成される。
【００１６】
表面取出電極３３および裏面取出電極４３は、それぞれ表面電極３２および裏面電極４２に電気的に接続され、画像書込装置等の外部機器（図示しない）を画像表示媒体１に接続する際に、外部機器のコネクタと表面電極３２および裏面電極４２を導通する。
【００１７】
表面電極３２および裏面電極４２は表示層２を挟んで位置し、画像表示媒体１に画像を書き込む際に、表面取出電極３３および裏面取出電極４３を介して外部機器から電源を供給すると、表示層２に電圧を印可する。
【００１８】
表面基板３、および裏面基板４は、例えば、厚さ１００μｍのポリエチレンテレフタレート（ＰＥＴ）等の透明な樹脂材料からなる。なお、裏面基板４は不透明な材料であってもよい。
【００１９】
表面電極３２は、例えば、厚さ５０ｎｍの酸化インジウム錫（ＩＴＯ）、酸化亜鉛等からなる透明電極である。表面電極３２は、表面支持基板３１とほぼ同じ形状および面積を有し、表面電極３２と表面支持基板３１の外縁はほぼ一致する。
【００２０】
また、表面電極３２は、本体部３２ａと、本体部３２ａから延在する延在部３２ｂと、を有して構成される。
【００２１】
裏面電極４２は、例えば、厚さ１５μｍのＡｌ等の金属材料からなる。裏面電極４２は、裏面支持基板４１上に、裏面支持基板４１の外縁よりも内側に設けられるため、裏面電極４２の外縁と裏面支持基板４１の外縁との間には間隔がある。
【００２２】
また、裏面電極４２は、本体部４２ａと、本体部４２ａから延在する延在部４２ｂと、延在部４２ｂにおいて表面電極の外縁と表示層２の厚さ方向（画像表示媒体１の厚さ方向）に重なる部分に設けられた裏面電極凹部４２ｃと、を有して構成される。
【００２３】
表面取出電極３３、および裏面取出電極４３は、例えば、厚さ１４０μｍのＮｉ等の金属からなる。外部機器（図示しない）との接続は、表面取出電極３３、および裏面取出電極４３の表側（表面基板側）と、裏側（裏面基板側）のどちらから行う構成であってもよい。
【００２４】
図３は、画像表示媒体を表面基板側から見た平面図であり、図４（ａ）、（ｂ）は、それぞれ図３の鎖線Ａ−Ａ’、Ｂ−Ｂ’における切断面をそれぞれ図中の矢印の方向に見た断面図である。
【００２５】
図４（ａ）に示すように、裏面電極４２に裏面電極凹部４２ｃが設けられているために、画像表示媒体１の厚さ方向に外力が加わった場合等における、表面電極３２の外縁と裏面電極４２の延在部４２ｂの接触による短絡が抑制される。
【００２６】
一方、図４（ｂ）に示すように、裏面電極４２の外縁と裏面支持基板４１の外縁との間には間隔があるため、画像表示媒体１の厚さ方向に外力が加わった場合等においても、裏面電極４２の外縁と表面電極３２の延在部３２ｂは接触しない。また、その他の部分においても、裏面電極４２の外縁と裏面支持基板４１の外縁との間には間隔があるため、裏面電極４２の外縁と表面電極３２の外縁は接触しない。
【００２７】
図５は、本発明の第１の実施の形態に係る画像表示媒体の厚さ方向に外力が加わった場合の様子を示す概念図である。図６は、比較例としての凹部を有さない裏面電極を備えた画像表示媒体の厚さ方向に外力が加わった場合の様子を示す概念図である。なお、簡単のために表示層２、表面電極３２、裏面電極４２のみを図示する。
【００２８】
図５に示すように、本発明の第１の実施の形態に係る画像表示媒体１は、裏面電極凹部４２ｃを有するため、外力を受けて表面電極３２の外縁と裏面電極４２が接近した場合でも、裏面電極４２の延在部４２ｂと表面電極３２は接触しにくい。一方、図６に示すように、裏面電極４２が裏面電極凹部４２ｃを有さない場合には、外力を受けた場合等に、裏面電極４２の延在部４２ｂと表面電極３２が接触し易い。
【００２９】
〔第２の実施の形態〕
本発明の第２の実施の形態は、裏面基板４の構成において第１の実施の形態と異なる。なお、他の部分の構成等、第１の実施の形態と同様の点については、説明を省略する。
【００３０】
図７（ａ）、（ｂ）は、本発明の第２の実施の形態に係る画像表示媒体の図４（ａ）、（ｂ）に対応する位置の断面図である。
【００３１】
図７（ａ）に示すように、裏面支持基板４１の裏面電極４２が形成された面と反対側の面（外側の面）に、裏面外側電極４４が形成されている。また、裏面電極４２の裏面電極凹部４２ｃはコンタクトとしての役割も有し、裏面電極凹部４２ｃが裏面外側電極４４に接触して、裏面電極凹部４２ｃにおいて裏面電極４２と裏面外側電極４４が互いに導通される。
【００３２】
裏面外側電極４４の大きさは、最低限、裏面電極凹部４２ｃとコンタクトできる大きさがあればよく、例えば、裏面基板４２と同じ大きさであってもよいし、裏面基板４２の延在部４２ｂと同じ大きさであってもよい。なお、導電経路を増やすために、裏面外側電極４４は、裏面電極凹部４２ｃの他に、それ以外の部分においても裏面電極４２と導通される構成であってもよい。
【００３３】
なお、裏面電極凹部４２ｃの凹形状の深さは、全ての領域において均一である必要はなく、裏面電極４２と裏面外側電極４４が接触するコンタクト部分が少なくとも一部分あればよい。また、裏面電極４２と裏面外側電極４４のコンタクト部分はスルーホールであってもよい。
【００３４】
裏面電極４２に裏面電極凹部４２ｃが設けられているために、画像表示媒体１の厚さ方向に外力が加わった場合等における、表面電極３２の外縁と裏面電極４２の延在部４２ｂの接触による短絡が抑制される。また、裏面支持基板４１の両面にそれぞれ裏面電極４２と裏面外側電極４４を互いに導通させて形成することにより、裏面電極凹部４２ｃに損傷が生じた場合でも導通が途切れにくくなる。
【００３５】
一方、図７（ｂ）に示すように、裏面電極４２の外縁と裏面支持基板４１の外縁との間には間隔があるため、画像表示媒体１の厚さ方向に外力が加わった場合等においても、裏面電極４２の外縁と表面電極３２の延在部３２ｂは接触しない。また、その他の部分においても、裏面電極４２の外縁と裏面支持基板４１の外縁との間には間隔があるため、裏面電極４２の外縁と表面電極３２の外縁は接触しない。
【００３６】
〔第３の実施の形態〕
本発明の第３の実施の形態は、表面取出電極３３および裏面取出電極４３の構成において第２の実施の形態と異なる。なお、他の部分の構成等、第２の実施の形態と同様の点については、説明を省略する。
【００３７】
図８（ａ）、（ｂ）は、本発明の第３の実施の形態に係る画像表示媒体の図４（ａ）、（ｂ）に対応する位置の断面図である。
【００３８】
図８（ａ）に示すように、裏面支持基板４１の裏面電極４２が形成された面と反対側の面（外側の面）に、裏面外側電極４４が形成されている。また、裏面電極４２の裏面電極凹部４２ｃはコンタクトとしての役割も有し、裏面電極凹部４２ｃが裏面外側電極４４に接触して、裏面電極凹部４２ｃにおいて裏面電極４２と裏面外側電極４４が互いに導通されている。
【００３９】
裏面電極４２に裏面電極凹部４２ｃが設けられているために、画像表示媒体１の厚さ方向に外力が加わった場合等における、表面電極３２の外縁と裏面電極４２の延在部４２ｂの接触による短絡が抑制される。また、裏面支持基板４１の両面にそれぞれ裏面電極４２と裏面外側電極４４を互いに導通させて形成することにより、裏面電極凹部４２ｃに損傷が生じた場合でも導通が途切れにくくなる。
【００４０】
また、裏面電極４２と裏面外側電極４４が導通しているため、裏面取出電極４３を裏面外側電極４４上に接続することができる。
【００４１】
一方、図８（ｂ）に示すように、裏面電極４２の外縁と裏面支持基板４１の外縁との間には間隔があるため、画像表示媒体１の厚さ方向に外力が加わった場合等においても、裏面電極４２の外縁と表面電極３２の延在部３２ｂは接触しない。また、その他の部分においても、裏面電極４２の外縁と裏面支持基板４１の外縁との間には間隔があるため、表面電極３２の外縁と裏面電極４２の外縁は接触しない。
【００４２】
図８（ａ）、（ｂ）が示すように、表面取出電極３３、および裏面取出電極４３は、それぞれ表面支持基板３１、および裏面支持基板４１の同方向の面上に設けられている。そのため、表面取出電極３３、および裏面取出電極４３をそれぞれ表面支持基板３１、および裏面支持基板４１の外縁の外に延在しない位置に形成し、表面支持基板３１、および裏面支持基板４１の面上からはみだした領域を設けなくても、外部装置を接続することができる。
【００４３】
〔第４の実施の形態〕
本発明の第４の実施の形態は、表面電極３２および背面電極４２の構成、および裏面電極凹部４２ｃの設けられる位置において第１の実施の形態と異なる。なお、他の部分の構成等、第１の実施の形態と同様の点については、説明を省略する。
【００４４】
図９（ａ）、（ｂ）は、それぞれ本発明の第４の実施の形態に係る画像表示媒体の表面基板および裏面基板の平面図である。図９（ａ）（ｂ）は、表面基板３および裏面基板４を内側（表示層２側）から見た図である。表面基板３は、表面支持基板３１と表面電極３２を有して構成され、裏面基板４は、裏面支持基板４１と裏面電極４２を有して構成される。
【００４５】
表面電極３２は、本体部３２ａと、本体部３２ａから延在する延在部３２ｂと、を有して構成される。表面電極３２は、表面支持基板３１上に、表面支持基板３１の外縁よりも内側に設けられるため、表面電極３２の外縁と表面支持基板３１の外縁との間には間隔がある。
【００４６】
また、裏面電極４２は、本体部４２ａと、本体部４２ａから延在する延在部４２ｂと、裏面電極４２の外縁において表面電極３２の延在部３２ｂと表示層２の厚さ方向に重なる部分に設けられた裏面電極凹部４２ｃを有して構成される。裏面電極４２は、裏面支持基板４１とほぼ同じ形状および面積を有し、裏面電極４２と裏面支持基板４１の外縁はほぼ一致する。
【００４７】
図１０（ａ）、（ｂ）は、それぞれ画像表示媒体の図４（ｂ）、（ａ）に対応する位置の断面図である。
【００４８】
図１０（ａ）に示すように、裏面電極４２に裏面電極凹部４２ｃが設けられているために、画像表示媒体１の厚さ方向に外力が加わった場合等における、裏面電極４２の外縁と表面電極３２の延在部３２ｂの接触による短絡が抑制される。
【００４９】
一方、図１０（ｂ）に示すように、表面電極３２の外縁と表面支持基板３１の外縁との間には間隔があるため、画像表示媒体１の厚さ方向に外力が加わった場合等においても、表面電極３２の外縁と裏面電極４２の延在部４２ｂは接触しない。また、その他の部分においても、表面電極３２の外縁と表面支持基板３１の外縁との間には間隔があるため、表面電極３２の外縁と裏面電極４２の外縁は接触しない。
【００５０】
図１１は、本発明の第４の実施の形態に係る画像表示媒体の厚さ方向に外力が加わった場合の様子を示す概念図である。なお、簡単のために表示層２、表面電極３２、裏面電極４２のみを図示する。
【００５１】
図１１に示すように、本発明の第４の実施の形態に係る画像表示媒体１は、裏面電極凹部４２ｃを有するため、外力を受けて裏面電極４２の外縁と表面電極３２の延在部３２ｂが接近した場合でも、裏面電極４２の外縁と表面電極３２は接触しにくい。
【００５２】
なお、本発明は、上記各実施の形態に限定されず、発明の趣旨を逸脱しない範囲内において種々変形実施が可能である。また、発明の趣旨を逸脱しない範囲内において上記各実施の形態の構成要素を任意に組み合わせることができる。
【図面の簡単な説明】
【００５３】
【図１】本発明の第１の実施の形態に係る画像表示媒体の斜視図である。
【図２】（ａ）、（ｂ）は、それぞれ本発明の第１の実施の形態に係る画像表示媒体の表面基板および裏面基板の平面図である。
【図３】本発明の第１の実施の形態に係る画像表示媒体を表面基板側から見た平面図である。
【図４】（ａ）、（ｂ）は、本発明の第１の実施の形態に係る画像表示媒体の図３の鎖線Ａ−Ａ’、Ｂ−Ｂ’における断面図である。
【図５】本発明の第１の実施の形態に係る画像表示媒体の厚さ方向に外力が加わった場合の様子を示す概念図である。
【図６】比較例としての凹部を有さない表面電極を備えた画像表示媒体の厚さ方向に外力が加わった場合の様子を示す概念図である。
【図７】（ａ）、（ｂ）は、本発明の第２の実施の形態に係る画像表示媒体の図４（ａ）、（ｂ）に対応する位置の断面図である。
【図８】（ａ）、（ｂ）は、本発明の第３の実施の形態に係る画像表示媒体の図４（ａ）、（ｂ）に対応する位置の断面図である。
【図９】（ａ）、（ｂ）は、それぞれ本発明の第４の実施の形態に係る画像表示媒体の表面基板および裏面基板の平面図である。
【図１０】（ａ）、（ｂ）は、本発明の第４実施の形態に係る画像表示媒体の図４（ａ）、（ｂ）に対応する位置の断面図である。
【図１１】本発明の第４の実施の形態に係る画像表示媒体の厚さ方向に外力が加わった場合の様子を示す概念図である。
【符号の説明】
【００５４】
１    画像表示媒体
２    表示層
３    表面基板
３１    表面支持基板
３２    表面電極
３２ａ    本体部
３２ｂ    延在部
３３    表面取出電極
３４    表面外側電極
４    裏面基板
４１    裏面支持基板
４２    裏面基板
４２ａ    本体部
４２ｂ    延在部
４２ｃ    裏面電極凹部
４３    裏面取出電極
【図１】
2008040002.tif 000003
【図２】
2008040002.tif 000004
【図３】
2008040002.tif 000005
【図４】
2008040002.tif 000006
【図５】
2008040002.tif 000007
【図６】
2008040002.tif 000008
【図７】
2008040002.tif 000009
【図８】
2008040002.tif 000010
【図９】
2008040002.tif 000011
【図１０】
2008040002.tif 000012
【図１１】
2008040002.tif 000013